(57)【要約】【課題】  本考案は、線香受け具の内部の灰の表層部に線香の下端部を突き立てるようにして、同線香の上端から燃焼が行われる際に、上記灰の表層部に埋没した線香の下端部まで十分に燃え尽きるようにして、灰の中に線香の不燃焼部分が残るのを防止できるようにした完全燃焼型線香を提供することを課題とする。【解決手段】  線香受け具の内部の灰３の表層部に下端部１ａを挿入するように突き立てて用いる細長い線香１において、その少なくとも下端部１ａが、内部に空気を有するパイプ状に形成される。パイプ状の下端部１ａの内周面には、長手方向に延在する複数の凹凸部１ｂが形成され、その内部には空気を含んだ可燃性の糸４ａが挿し込まれる。【選択図】          図７
0003103708.tif 000002
【実用新案登録請求の範囲】
【請求項１】
線香受け具の内部の灰の表層部に下端部を挿入するように突き立てて用いる細長い線香において、同線香の下端部にのみ、空気を含んだ可燃性の糸が、同線香の成型加工時に練り込まれていることを特徴とする、完全燃焼型線香。
【請求項２】
線香受け具の内部の灰の表層部に下端部を挿入するように突き立てて用いる細長い線香において、同線香の少なくとも下端部が、内部に空気を有するパイプ状に形成されていることを特徴とする、完全燃焼型線香。
【請求項３】
上記線香のパイプ状に形成された下端部の内周面に、同線香の長手方向にわたって存在する複数の凹凸部が形成されていることを特徴とする、請求項２に記載の完全燃焼型線香。
【請求項４】
上記線香のパイプ状に形成された下端部に、空気を含んだ可燃性の糸が挿し込まれていることを特徴とする、請求項２または３に記載の完全燃焼型線香。
【請求項５】
線香受け具の内部の灰の表層部に下端部を挿入するように突き立てて用いる細長い線香において、同線香が、その全長にわたり内部に空気を有するパイプ状に形成され、上記パイプ状の線香の内部空間に可燃性の糸が挿し込まれていることを特徴とする、完全燃焼型線香。
【考案の詳細な説明】
【技術分野】
【０００１】
本考案は、仏壇などにおいて線香受け具の内部の灰の表層部に下端部を突き立てて用いる細長い線香に関する。
【背景技術】
【０００２】
一般に、図１に示すように、線香１を供えるための線香受け具２の内部には、図２に示すように灰３が満たされていて、線香１を供える際には同線香１の上端に火を点けた後、同線香１の下端部１ａを灰３の表層部に挿入するように突き立てる操作が行われる。
【０００３】
このようにして線香１が上端から燃えてゆくと、灰３の表面で線香１の燃焼が停止するので、灰３の内部には線香の下端部１ａが不燃状態で残ってしまうという不具合がある。    
【特許文献１】特開平７−２５７３７号公報
【考案の開示】
【考案が解決しようとする課題】
【０００４】
本考案は、線香受け具の内部の灰の表層部に線香の下端部を突き立てるようにして、同線香の上端から燃焼が行われる際に、上記灰の表層部に埋没した線香の下端部まで十分に燃え尽きるようにして、灰の中に線香の不燃焼部分が残るのを防止できるようにした完全燃焼型線香を提供することを課題とする。
【課題を解決するための手段】
【０００５】
本考案の完全燃焼型線香は、線香受け具の内部の灰の表層部に線香の下端部を挿入するように突き立てて用いる細長い線香において、同線香の下端部にのみ、空気を含んだ可燃性の糸が、同線香の成型加工時に練り込まれていることを特徴としている。
【０００６】
また、本考案の完全燃焼型線香は、線香受け具の内部の灰の表層部に線香の下端部を挿入するように突き立てて用いる細長い線香において、同線香の少なくとも下端部が、内部に空気を有するパイプ状に形成されていることを特徴としている。
【０００７】
さらに、本考案の完全燃焼型線香は、上記線香のパイプ状に形成された下端部の内周面に、同線香の長手方向にわたって存在する複数の凹凸部が形成されていることを特徴としている。
【０００８】
そして、上記線香のパイプ状に形成された下端部に、空気を含んだ可燃性の糸が挿し込まれていることを特徴としている。
【０００９】
また、本考案の線香受け具は、線香受け具の内部の灰の表層部に下端部を挿入するように突き立てて用いる細長い線香において、同線香が、その全長にわたり内部に空気を有するパイプ状に形成され、上記パイプ状の線香の内部空間に可燃性の糸が挿し込まれていることを特徴としている。
【考案の効果】
【００１０】
本考案の完全燃焼型線香では、線香受け具の灰の中に突き立てられる線香の下端部にのみ、空気を含んだ可燃性の糸が練り込まれている場合、線香の燃焼時間の主要部にわたり同線香の本来の香りを発生させることができ、同線香が灰の表面の部分まで燃えてからは、灰の表層部内において、上記糸の燃焼に伴い線香下端部の燃焼も行われるので、これにより線香の完全燃焼が達成されるようになる。
【００１１】
また、本考案の完全燃焼型線香において、同線香の少なくとも下端部が内部に空気を有するパイプ状に形成されていると、同線香の燃焼時の香りが、その全長にわたって最後まで同等となり、しかも燃焼の末期における灰の中でも、上記線香の下端部のパイプ状部分の内部の空気の存在により、同線香の完全燃焼が行われる。
【００１２】
そして、上記線香のパイプ状に形成された下端部の内周面に、同線香の長手方向に存在する複数の凹凸部が形成されている場合は、同線香のパイプ状に形成された下端部の内周面と空気との接触面が著しく増加するので、灰の中における上記線香下端部の完全燃焼が適切に行われるようになる。
【００１３】
さらに、上記パイプ状に形成された下端部の内部に、空気を含んだ可燃性の糸が挿し込まれていると、灰の中における上記線香下端部の完全燃焼が、上記可燃性の糸の燃焼と相まって更に的確に行われるようになる。
【００１４】
また、細長い線香が、その全長にわたり内部に空気を有するパイプ状に形成されて、その内部空間に可燃性の糸が挿し込まれている場合は、製造しやすい簡素な構造で、使用時の完全燃焼を実現できるようになる。
【考案を実施するための最良の形態】
【００１５】
線香受け具内の灰の表層部に突き立てられる細長い線香の下端部にのみ、空気を含んだ可燃性の糸が、同線香の成型加工時に練り込まれているので、同線香の使用時の燃焼状態で灰の表層部まで燃焼する間は燃え始めと同じ香りを維持することができ、灰の表層部内では糸の燃焼と共に線香下端部も十分に燃え尽きるようにする。
また、上記細長い線香の少なくとも下端部が内部に空気を有するパイプ状に形成されることにより、同線香の燃焼時の香りに異臭を含むことはなく、しかもパイプ状に形成された上記下端部の内部の空気の存在により同線香の完全燃焼が効率よく達成される。
そして、上記線香のパイプ状に形成された下端部の内周面に、同線香の長手方向にわたって複数の凹凸部が形成されていると、同凹凸部の存在による空気との接触面の増加に伴い、灰の中でも十分な燃焼が行われるようになる。
さらに、上記線香のパイプ状に形成された下端部の内部に、空気を含んだ可燃性の糸が挿し込まれていると、その糸の燃焼と相まって、線香下端部の灰の中での完全燃焼が更に的確に行われるようになる。
また、細長い線香が、その全長にわたり内部に空気を有するパイプ状に形成されて、その内部空間に可燃性の糸が挿し込まれていると、製造しやすい簡素な構造で、灰の中に突き立てられた線香下端部まで十分に燃え尽きるようになる効果が得られる。
【実施例】
【００１６】
図３は本考案の実施例１としての完全燃焼型線香の使用状態を拡大して示す縦断面図、図４は本考案の実施例２としての完全燃焼型線香の使用状態を拡大して示す縦断面図、図５は図４のＡ−Ａ矢視拡大断面図、図６は図５に対応させて本考案の変形例としての完全燃焼型線香を示す拡大断面図、図７は本考案の実施例３としての完全燃焼型線香の使用状態を拡大して示す縦断面図、図８は本考案の実施例４としての完全燃焼型線香の使用状態を拡大して示す縦断面図である。
【００１７】
まず、本考案の実施例１について説明すると、図３に示すように、線香受け具の内部の灰３の表層部に下端部１ａを挿入するように突き立てて用いる細長い線香１において、同線香１の下端部１ａにのみ、空気を含んだ可燃性の糸４が、同線香１の成型加工時に練り込まれている。
【００１８】
これにより、線香１の燃焼時間の主要部にわたり、同線香１の本来の香りを発生させ続けることができ、同線香１が灰３の表面まで燃えてからは、灰３の表層部内において、糸４の燃焼に助勢されるようにしながら線香下端部１ａの燃焼が十分に行われる。
このようにして、線香１の完全燃焼が達成され、従来の線香における灰３の内部での燃え残り部分の発生を防止できるようになる。
【００１９】
次に、図４，５に示す本考案の実施例２では、線香１の少なくとも下端部１ａが内部に空気を有するパイプ状に形成されており、しかもパイプ状下端部１ａの内周面には、同線香１の長手方向に延在する複数の凹凸部１ｂが形成されている。なお、図６は凹凸部１ｂの変形例を示す。
【００２０】
上述の実施例２では、細長い線香１の少なくとも下端部１ａが、内部に空気を有するパイプ状に形成されることにより、同線香１の燃焼時の香りに異臭を含むことはなく、しかもパイプ状に形成された上記下端部１ａの内部の空気の存在により、同線香１の完全燃焼が効率よく達成される。
【００２１】
そして、線香１のパイプ状に形成された下端部１ａの内周面に、同線香の長手方向にわたって複数の凹凸部１ｂが形成されているので、同凹凸部１ｂの存在による空気との接触面の増加により、灰３の中でも十分な燃焼が行われるようになる。
【００２２】
図７に示す本考案の実施例３の場合も、前述の実施例２と同様に線香１の下端部１ａがパイプ状に形成されているが、同下端部１ａの内部には、空気を含んだ可燃性の糸が挿し込まれている。なお、本実施例の場合も、パイプ状下端部１ａの内周面には線香１の長手方向に延在する凹凸部１ｂが形成される。
【００２３】
上述の実施例３の場合も、線香１のパイプ状に形成された下端部１ａの内周面に、同線香１の長手方向にわたって複数の凹凸部１ｂが形成されて、同下端部１ａの内周面と空気との接触面が著しく増加するので、灰３の中における線香下端部１ａの完全燃焼が適切に行われるようになる。
【００２４】
そして、パイプ状に形成された下端部１ａの内部に、空気を含んだ可燃性の糸４ａが挿し込まれているため、灰３の中における線香下端部１ａの完全燃焼が、可燃性の糸４ａの燃焼と相まって、更に的確に行われるようになる。
【００２５】
次に、図８に示す実施例４では、線香１の全長にわたって同線香１はパイプ状に形成されており、その内部には、空気を含んだ可燃性の糸４ａが挿し込まれている。そして、この実施例の場合も、パイプ状の線香１の内周面に、その長手方向に延在する凹凸部１ｂを形成するようにしてもよい。
【００２６】
上述の構成の線香は、製造しやすい簡素な構造で使用時の完全燃焼が達成されるようになり、しかも不使用時には万一線香が折れても、その内部の糸４ａの存在により、２つに分離することがなく、単に屈曲しただけで、使用可能の状態を維持することができる。
なお、図１〜４および図７，図８において、符号５は線香上端の灰を示し、６は煙を示している。
【産業上の利用可能性】
【００２７】
本考案の線香の通常の使用状態では、その太さを１.５〜３ｍｍфとすることが望ましいが、これを更に太くするとともに防虫剤を含ませて、蚊取り線香として用いることもできる。
【図面の簡単な説明】
【００２８】
【図１】線香の使用状態を示す立面図である。
【図２】線香の使用状態を示す縦断面図である。
【図３】本考案の実施例１としての完全燃焼型線香の使用状態を拡大して示す縦断面図である。
【図４】本考案の実施例２としての完全燃焼型線香の使用状態を拡大して示す縦断面図である。
【図５】図４のＡ−Ａ矢視拡大断面図である。
【図６】図５に対応させて本考案の変形例としての完全燃焼型線香を示す拡大断面図である。
【図７】本考案の実施例３としての完全燃焼型線香の使用状態を拡大して示す縦断面図である。
【図８】本考案の実施例４としての完全燃焼型線香の使用状態を拡大して示す縦断面図である。
【符号の説明】
【００２９】
１  線香
１ａ  線香下端部
１ｂ  凹凸部
２  線香受け具
３  灰
４，４ａ  糸
５  灰
６  煙
【図１】
0003103708.tif 000003
【図２】
0003103708.tif 000004
【図３】
0003103708.tif 000005
【図４】
0003103708.tif 000006
【図５】
0003103708.tif 000007
【図６】
0003103708.tif 000008
【図７】
0003103708.tif 000009
【図８】
0003103708.tif 000010